(57)【特許請求の範囲】
【請求項１】
第１スライド位置と第２スライド位置との間を左右方向へスライドするスライド体を有するスライド役物と、上昇位置と下降位置との間を上下方向へ昇降する昇降体を有する昇降役物と、前記スライド役物及び前記昇降役物の動作を制御する制御手段とが備えられた遊技機であって、
前記制御手段は、前記スライド体を前記第１スライド位置から前記第２スライド位置へとスライドさせるスライド演出を実行するとともに、前記スライド演出に伴い、前記昇降役物において、前記昇降体を前記上昇位置から前記下降位置へと移動させる一方、
前記スライド役物に、前記スライド体の前記第２スライド位置へのスライドに伴い、前記スライド体の一部を被覆するカバー部材が設けられているとともに、
前記昇降役物に、前記上昇位置にある前記昇降体の後側で、且つ、前記下降位置にある前記昇降体の上側となる位置に固定されている固定体が設けられており、
さらに、前記第２スライド位置にあって前記カバー部材に被覆されていない前記スライド体の部位と、前記固定体及び前記下降位置にある前記昇降体とが前後方向で重なった状態で露出するように、前記スライド役物が前記昇降役物の前方に設置されていることを特徴とする遊技機。
【発明の詳細な説明】
【技術分野】
【０００１】
本発明は、たとえばパチンコ機やスロットマシーンといった遊技機に関するものである。
【背景技術】
【０００２】
従来、たとえば遊技機の一例であるパチンコ機には、種々の電動役物が設置されており、図柄の変動開始から確定表示までの間に電動役物を作動させることによって、遊技者に対して大当たりの期待感を抱かせるといった演出を実行するようなものが多数考案されている（たとえば特許文献１及び２）。
【先行技術文献】
【特許文献】
【０００３】
【特許文献１】特開２０１０−１５８３２６号公報
【特許文献２】特開２００９−２８５１１７号公報
【発明の概要】
【発明が解決しようとする課題】
【０００４】
しかしながら、大多数の遊技機においては、特許文献１に開示されている遊技機のように、１つの移動体を有する電動役物を夫々単体で作動させるにすぎないため、電動役物を作動させた際の迫力といった演出効果に乏しいという問題がある。
また、特許文献２に開示されている遊技機のように、２つの電動役物（左右のカーテン部材）を同時に作動させるようなものも考案されている。しかしながら、このような遊技機においても、各電動役物の作動態様は一様でしかない、電動役物同士が前後方向で重なることはなく立体感に乏しい等、依然として電動役物を作動させた際の演出効果に乏しいという問題がある。
【０００５】
そこで、本発明は、上記問題に鑑みなされたものであって、前後方向に重なって設置された複数の電動役物を従来にない斬新な作動態様で作動させることにより、迫力に富んだ演出を実行することができる遊技機を提供しようとするものである。
【課題を解決するための手段】
【０００６】
上記目的を達成するために、本発明は、第１スライド位置と第２スライド位置との間を左右方向へスライドするスライド体を有するスライド役物と、上昇位置と下降位置との間を上下方向へ昇降する昇降体を有する昇降役物と、前記スライド役物及び前記昇降役物の動作を制御する制御手段とが備えられた遊技機であって、前記制御手段は、前記スライド体を前記第１スライド位置から前記第２スライド位置へとスライドさせるスライド演出を実行するとともに、前記スライド演出に伴い、前記昇降役物において、前記昇降体を前記上昇位置から前記下降位置へと移動させる一方、前記スライド役物に、前記スライド体の前記第２スライド位置へのスライドに伴い、前記スライド体の一部を被覆するカバー部材が設けられているとともに、前記昇降役物に、前記上昇位置にある前記昇降体の後側で、且つ、前記下降位置にある前記昇降体の上側となる位置に固定されている固定体が設けられており、さらに、前記第２スライド位置にあって前記カバー部材に被覆されていない前記スライド体の部位と、前記固定体及び前記下降位置にある前記昇降体とが前後方向で重なった状態で露出するように、前記スライド役物が前記昇降役物の前方に設置されていることを特徴とする。
【０００７】
なお、上記発明において、前記制御手段が、前記スライド体を前記第１スライド位置で左右にガタ付かせるガタ付き演出をスライド役物にて実行するように構成することも可能である。この「左右にガタ付かせる」とは、スライド体を左右交互に微小な距離だけ短時間でスライドさせることを言う。
【０００８】
また、上記発明において、前記昇降役物が、前後方向を軸として回転するモータと、前記モータの回転に伴い前後方向を軸として回転する回転体と、一端が前記昇降体に連結され、他端が上下方向へ揺動可能に軸着された左右方向へ長いアームとを備えており、前記回転体の偏心位置に、前方へ突出する係合突起が設けられている一方、前記アームが、前記回転体の前方を横切るように設置されているとともに、前記アームにおける前記係合突起の回転軌跡上となる位置に、前記回転体の回転に伴い前記係合突起が進入／退出する係合溝が設けられており、前記制御手段による制御のもと、前記モータの回転に伴い前記回転体が回転して、前記係合突起が前記係合溝内へ進入して前記係合突起と前記係合溝とが係合し、且つ、該係合状態において前記係合突起が前記係合溝内を移動することにより、前記昇降体が上昇する一方、更に前記回転体が回転して、前記係合突起が前記係合溝から退出して前記係合突起と前記係合溝との係合が解除されることにより、前記昇降体が自由落下して前記上昇位置から前記下降位置へと移動するように構成することも可能である。
そして、そのように構成することで、昇降体を自由落下により上昇位置から下降位置へと移動させるため、たとえばギアやラック歯を介在させてスライドさせるような構成と比較すると、上昇位置から下降位置まで移動する時間を短くすることができ、スピード感のある演出を実行することができるといった効果を奏することができる。また、昇降体の上方にラック歯等を突設させる必要がないため、昇降体を上昇させた際にラック歯の逃げ等のためのスペースを設けなくてよく、昇降役物を上下方向でコンパクト化することができるといった効果も奏することができる。
【発明の効果】
【０００９】
本発明によれば、第２スライド位置にあってカバー部材に被覆されていないスライド体の部位と、固定体及び下降位置にある昇降体とが前後方向で重なった状態で露出するように、スライド役物が昇降役物の前方に設置されており、スライド役物において、スライド体を第１スライド位置から第２スライド位置へとスライドさせるスライド演出を実行した際、昇降役物において、昇降体を上昇位置から下降位置へと移動させるという演出を実行するようになっている。したがって、派手で迫力があり、立体感や奥行き感のある従来にない演出を実行することができ、演出効果の高い遊技性に富んだ遊技機を提供することができる。
【図面の簡単な説明】
【００１０】
【図１】パチンコ機を前面側から示した説明図である。
【図２】遊技盤を前面側から示した説明図である。
【図３】パチンコ機を後面側から示した説明図である。
【図４】スライド体が露出位置にあるスライド役物を前面側から示した説明図である。
【図５】スライド体が露出位置にあるスライド役物を後面側から示した説明図である。
【図６】スライド体が被覆位置にあるスライド役物を前面側から示した説明図である。
【図７】スライド体が被覆位置にあるスライド役物を後面側から示した説明図である。
【図８】昇降体が上昇位置にある昇降役物を前面側から示した説明図である。
【図９】昇降体が上昇位置にある昇降役物を後面側から示した説明図である。
【図１０】昇降体が下降位置にある昇降役物を前面側から示した説明図である。
【図１１】昇降体が下降位置にある昇降役物を後面側から示した説明図である。
【図１２】設置状態におけるスライド役物と昇降役物との位置関係を示した説明図である。
【図１３】スライド役物においてスライド演出が実行され、昇降体が下降位置にある状態を示した説明図である。
【発明を実施するための形態】
【００１１】
以下、本発明の一実施形態となるパチンコ機について、図面にもとづき詳細に説明する。
【００１２】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を嵌め込み設置してなる前扉４が、左端縁を軸として片開き可能に機枠３に蝶着されており、該前扉４によって閉塞される遊技盤２の前方空間が遊技領域１６とされている。
【００１３】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字や絵柄等からなる図柄を表示するための図柄表示部６が設けられている。さらに、図柄表示部６を囲むようにセンター部材２６が遊技盤２に設置されており、該センター部材２６には、図柄表示部６における演出等に関連して後述の如く作動する電動役物であるスライド役物３５や昇降役物３６、及びそれらの役物３５、３６とは別個に独立して作動する電動役物２７が取り付けられている。加えて、遊技領域１６には、一対の爪片を開閉動作可能に備えたチューリップ式電動役物１７、開閉可能な扉部材を有する大入賞装置１８、遊技球が通過可能なゲート部材１９や多数の遊技釘等が設置されている。
【００１４】
また、機枠３の前面側であって上記遊技盤２の下方には、遊技球を発射装置１０へ供給するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させるためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する一対のスピーカ１４、１４が設けられており、前扉４の側部には、パチンコ機１の遊技状態等に応じて点灯・点滅する複数のＬＥＤを備えたランプ部材１５、１５が設けられている。
【００１５】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、図柄表示部６に図柄を表示させるための液晶表示装置、遊技に係る主たる制御（たとえば、所謂「大当たり抽選」等）を実行するためのメイン制御装置（図示せず）、図柄表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び払出装置１２や表示制御装置等の動作を統合的に制御するとともに、スライド役物３５や昇降役物３６の作動を制御するサブ制御装置（図示せず）等が設置されている。尚、３１は、パチンコ機１をトランスに接続するためのプラグであり、３２は、アースである。
【００１６】
以上のようなパチンコ機１では、遊技者によってハンドル９が回動操作されると、発射装置１０が作動して遊技球が遊技領域１６内へ打ち込まれる。そして、遊技領域１６内を流下する遊技球がチューリップ式電動役物１７へ入賞すると、メイン制御装置にて「大当たり抽選」を行う。該「大当たり抽選」は、乱数から１つの数値を取得する態様で行われ、取得した数値に応じて、「大当たり」であるか「外れ」であるかを決定するとともに、図柄の変動時間を決定する。そして、「大当たり抽選」の結果、「大当たり」である場合には、決定した変動時間だけ図柄を変動表示させた後、図柄表示部６に所定の「大当たり図柄」（たとえば、「７、７、７」等）を確定表示させる。さらに確定表示後、大入賞装置１８の扉部材を所定回数にわたって断続的に開成させるといった所謂「大当たり状態」を生起させる。一方、「大当たり抽選」の結果、「外れ」である場合には、決定した変動時間だけ図柄を変動表示させた後、図柄表示部６に「外れ図柄」（たとえば、「１、２、１」等）を確定表示させる。また、図柄の変動表示中（たとえばリーチ演出中等）において、サブ制御装置による制御のもと、スライド役物３５及び昇降役物３６を後述の如く作動させ、遊技者に「大当たり状態」生起の期待感を抱かせる。
【００１７】
（スライド役物及び昇降役物の構造の説明）
スライド役物３５及び昇降役物３６は、上述したようにセンター部材２６に設けられている。該センター部材２６について簡略に説明すると、センター部材２６は、両役物３５、３６や電動役物２７を含んだ種々の部材を四角環状に組み付けてなるもので、中央には図柄表示部６を露出させるための大開口が形成されている。そして、スライド役物３５及び昇降役物３６は、図柄表示部６の上方となるセンター部材２６の上辺部に設置されている。
【００１８】
ここで、まずスライド役物３５について、図４〜図７をもとに詳述する。
図４は、スライド体４０が露出位置にあるスライド役物３５を前面側から示した説明図であり、図５は、スライド体４０が露出位置にあるスライド役物３５を後面側から示した説明図である。また、図６は、スライド体４０が被覆位置にあるスライド役物３５を前面側から示した説明図であり、図７は、スライド体４０が被覆位置にあるスライド役物３５を後面側から示した説明図である。尚、図５及び図７においては、スライド役物３５の駆動機構を示すため、一部の部材（特に基板部材４３）を省略している。
【００１９】
スライド役物３５は、左右方向へスライドするスライド体４０と、スライド体４０をスライドさせるためのモータ４７及びギヤ４８ａ、４８ｂ等からなる駆動機構と、スライド体４０を通常状態からスライドさせた際にスライド体４０の一部４０ａを被覆するカバー部材４２と、駆動機構やカバー部材４２が取り付けられる基板部材４３とを備えてなる。
スライド体４０は、左右方向へ長く形成されたブロック体であって、その内部にはＬＥＤが設置されている。また、スライド体４０の後面上部には、上面に左右方向へ延びるラック歯４４が形成された棒状部が一体的に設けられているとともに、棒状部の先端部には、スライド体４０の位置を検知させるための突片（図示せず）が後方へ突設されている。さらに、スライド体４０の後面下部には、内蔵されたＬＥＤへ電源を供給するハーネスを挿通させるためのスリット４５が形成されている。加えて、スライド体４０の後面には、ロッド部材４９を遊挿可能な遊挿部４６、４６・・が設けられている。
【００２０】
上記スライド体４０は、左右方向へ長い板状体として形成された基板部材４３の前面に備えられる。そして、該基板部材４３の右上部には、前後方向を軸として回転するモータ４７と、モータ４７の回転に伴い回転するギヤ４８ａ、４８ｂとが設置されている。そして、ギヤ４８ｂがラック歯４４と噛合しており、モータ４７の作動に伴いスライド体４０を左右方向へスライド可能としている。また、基板部材４３の右端部後面でモータ４７の下方には、スライド体４０のスライド位置を検知するためのセンサ５０、５０が設けられている。さらに、基板部材４３の中央部分には、基板部材４３の略左右全域にわたってロッド部材４９が設けられている。該ロッド部材４９は、スライド体４０をスライド可能に支持するためのものであって、スライド体４０のスライド時にはガイドとして機能する。また、ロッド部材４９は、基板部材４３を補強するための補強部材ともなっている。
さらに、基板部材４３の右端部前面でモータ４７の下方には、透光性を有さない材料で形成されたカバー部材４２が設けられており、スライド体４０が右方へスライドした際、スライド体４０の一部４０ａがカバー部材４２の後方へ入り込んで、遊技盤２の前面側から視認できないように構成している。
【００２１】
上述したようなスライド役物３５は、基板部材４３をセンター部材２６側へネジ止めして設置されており、通常は、スライド体４０を全体が露出する露出位置（第１スライド位置）に位置させている。そして、スライド役物３５では、サブ制御装置による制御のもと、モータ４７を極めて短時間で正逆交互に作動させることにより、スライド体４０を露出位置において左右方向にガタ付かせる（すなわち、スライド体４０を左右交互に微小な距離だけ短時間でスライドさせる）ガタ付き演出と、モータ４７を同一方向へ継続的に作動させてスライド体４０を右方へスライドさせ、スライド体４０を露出位置からその一部４０ａがカバー部材４２の後方へ入り込んだ被覆位置（第２スライド位置）へと移動させるスライド演出との２つの演出動作が実行される。尚、サブ制御装置は、スライド演出の終了に伴い、モータ４７を逆方向へ回転させ、スライド体４０を再び露出位置まで移動させる。また、ガタ付き演出やスライド演出時に、サブ制御装置は、スライド体４０の内部に設置されているＬＥＤを所定の態様で点灯／点滅させる。
【００２２】
次に、昇降役物３６について、図８〜図１２をもとに詳述する。
図８は、昇降体５２が上昇位置にある昇降役物３６を前面側から示した説明図であり、図９は、昇降体５２が上昇位置にある昇降役物３６を後面側から示した説明図である。また、図１０は、昇降体５２が下降位置にある昇降役物３６を前面側から示した説明図であり、図１１は、昇降体５２が下降位置にある昇降役物３６を後面側から示した説明図である。尚、図８及び図１０においては、昇降役物３６の駆動機構を示すため、一部の部材（特にケーシング部材５４）について内部構造を示している。
【００２３】
昇降役物３６は、固定体５１と、昇降する昇降体５２と、昇降体５２を昇降移動させるためのモータ５３等からなる駆動機構と、固定体５１やモータ５３等が固定されるケーシング部材５４とを備えてなる。固定体５１は、正面視が略半円状に形成されており、直線部が下側を向くような姿勢でケーシング部材５４に固定されている。また、昇降体５２は、固定体５１を上下逆さにしたような正面視略半円状に形成されている。そして、昇降体５２は、固定体５１の前方を上下方向に昇降移動するように取り付けられており、上昇位置においては固定体５１の前方に位置している一方、下降位置においては固定体５１の下方に位置して、固定体５１と昇降体５２とで正面視が略円形の１つのオブジェクトとなる。尚、固定体５１及び昇降体５２の内部には、図示しないＬＥＤが設置されている。
【００２４】
一方、昇降体５２を昇降移動させるための駆動機構は、モータ５３と、モータ５３の回転に伴い回転する回転体５５と、昇降体５２から延設されており、回転体５５の回転に応じて上下方向へ揺動するアーム５６とからなる。モータ５３は、固定体５１の左方において前後方向を軸として回転可能にケーシング部材５４に設置されている。また、回転体５５は、モータ５３の右方でモータ５３と固定体５１との間となる位置に、前後方向を軸として回転可能に取り付けられている。該回転体５５は、図示しない複数のギアを介してモータ５３と接続されており、モータ５３の回転に伴い回転する。また、回転体５５の回転中心から偏心した位置には、前方へ突出する係合突起５７が設けられている。さらに、アーム５６は、左右方向へ長い棒状に形成されており、一端（右端部）が昇降体５２の後面に連結されている一方、他端（左端部）がケーシング部材５４の左端に軸着されており、他端を中心として上下方向へ揺動可能に取り付けられている。また、アーム５６は、回転体５５の前方を横切るように設けられており、アーム５６の略中央位置で、回転体５５が回転した際に係合突起５７の回転軌跡上となる位置には、回転体５５の回転に伴い係合突起５７が進入／退出可能な係合溝５８が設けられている。
【００２５】
上述したような昇降役物３６は、固定体５１及びケーシング部材５４をセンター部材２６側へネジ止めして設置されており、通常は、回転体５５の回転姿勢が所定の係合姿勢、すなわち係合突起５７が係合溝５８内に位置して係合突起５７と係合溝５８とが係合状態にある姿勢で止まっており、昇降体５２を上昇位置で保持している。そして、昇降役物３６では、サブ制御装置による制御のもと、モータ５３が所定方向へ作動して回転体５５を回転させ、係合突起５７を係合溝５８から退出させて両者の係合を解除することにより、昇降体５２を自由落下させ、上昇位置から下降位置へ移動させるという演出動作が実行される。尚、サブ制御装置は、上記演出の終了に伴い、モータ５３を再び所定方向へ作動させて、係合突起５７を係合溝５８に進入させて係合突起５７と係合溝５８とを係合させ、且つ、該係合状態において更に係合突起５７を係合溝５８内で移動させることにより、昇降体５２を下降位置から持ち上げ、上昇位置へ復帰させる。また、ケーシング部材５４には、アーム５６は下方へ揺動した際にアーム５６の下面が当接する規制壁が設けられており、下方へ揺動したアーム５６が規制壁に当接することによって、昇降体５２が下降位置を超えて下方へ移動することを防止する、すなわち昇降体５２を下降位置で支持するようになっている。さらに、昇降体５２を下降位置へ位置させるに伴い、サブ制御装置は、固定体５１及び昇降体５２の内部に設置されているＬＥＤを所定の態様で点灯／点滅させる。
【００２６】
以上のようなスライド役物３５及び昇降役物３６は、図１２に示すように、昇降役物３６の前方にスライド役物３５が位置するような状態で設置されている。そして、スライド体４０は、固定体５１及び昇降体５２の前方に位置して（すなわち、固定体５１及び昇降体５２と前後方向で重なって）おり、スライド体４０が被覆位置に位置した際には、スライド体４０の被覆されていない部分が、固定体５１及び昇降体５２により形成された正面視円形のオブジェクトの中央部分の前方に位置するようになっている。
また、図１３に示すように、昇降役物３６は、スライド役物３５のスライド演出に応じて作動するように設定されている。すなわち、サブ制御装置は、スライド役物３５においてスライド演出が実行され、スライド体４０が被覆位置へ移動したと同時に、昇降体５２が落下して下降位置に位置するようにモータ４７、５３の作動を制御する。
【００２７】
（本実施形態のパチンコ機による効果）
上述したようなパチンコ機１によれば、左右方向へスライドするスライド体４０を有するスライド役物３５と、上下方向へ昇降する昇降体５２を有する昇降役物３６とを、昇降役物３６の前方にスライド役物３６が位置するような状態で備えている。そして、スライド役物３５では、モータ４７を極めて短時間で正逆交互に作動させることにより、スライド体４０を露出位置において左右方向にガタ付かせるガタ付き演出と、モータ４７を同一方向へ継続的に作動させてスライド体４０を右方へスライドさせ、スライド体４０を露出位置からその一部４０ａがカバー部材４２の後方へ入り込んだ被覆位置へと移動させるスライド演出との２つの演出動作が実行される。さらに、スライド役物３５のスライド演出に同期させて、昇降役物３６を作動させるようになっている。このように、１度に２つの電動役物を作動させる上、スライド体４０と固定体５１及び昇降体５２とが前後方向で重なっているため、派手で迫力があり、立体感や奥行き感のある従来にない演出を実行することができ、演出効果の高い遊技性に富んだパチンコ機１を提供することができる。
【００２８】
また、昇降役物３６では、モータ５３の回転に伴い回転する回転体５５の偏心位置に係合突起５７を突設する一方、昇降体５２を上下方向で揺動可能に支持するアーム５６を、回転体５５の前方を横切るように設けるとともに、該アーム５６の係合突起５７の回転軌跡上となる位置に係合突起５７が進入／退出可能な係合溝５８を設けている。そして、回転体５５の回転に伴い、係合突起５７を係合溝５８へ進入させて係合突起５７と係合溝５８とを係合させ、且つ、該係合状態において更に係合突起５７を係合溝５８内で移動させることにより、昇降体５２を下降位置から持ち上げ、上昇位置へ移動させる一方、モータ５３を更に回転させて係合突起５７を係合溝５８から退出させ、両者の係合を解除することにより、昇降体５２が自由落下して下降位置へ移動するように構成している。したがって、たとえばスライド役物３５のスライド体４０の如くラック歯４４によりスライドさせるような構成と比較すると、上昇位置から下降位置まで移動する時間を短くすることができ、スピード感のある演出を実行することができる。また、昇降体５２の上方にラック歯等を突設させる必要がない上、センター部材２６の上部にラック歯の逃げ等のためのスペースを設ける必要もなく、昇降役物３６、ひいてはセンター部材２６を上下方向においてコンパクト化することができる。
【００２９】
（本発明の変更例の説明）
なお、本発明の遊技機に係る構成は、上記実施形態に何ら限定されるものではなく、遊技機そのものの構成、スライド役物及び昇降役物の形状や作動態様等について、本発明の趣旨を逸脱しない範囲で必要に応じて適宜変更可能である。
【００３０】
たとえば、上記実施形態では、スライド役物３５においてスライド体４０を露出位置から被覆位置へ移動させるに伴い、昇降役物３６を作動させるように構成しているが、反対にスライド体４０を被覆位置から露出位置へ移動させるに伴い、昇降役物３６を作動させるように構成することも可能である。
また、スライド役物３５においてスライド演出と昇降役物３６との作動とを必ずしも同時に行う必要はなく、たとえばスライド演出が実行されていないにも拘わらず昇降役物３６が作動したり、スライド役物３５がスライド演出したにも拘わらず昇降役物３６が作動しないといった演出態様をもたせるようにしても何ら問題はない。
【００３１】
さらに、昇降役物３６を昇降させる機構として、上記実施形態とは異なり、スライド役物３５に利用しているようなラック歯を昇降体５２に取り付けて昇降体５２を昇降させるような機構を採用することも可能である。
加えて、上記実施形態では、遊技機としてパチンコ機を採用しているが、スライド役物及び昇降役物を備えてさえいれば、たとえばスロットマシーン等の他の遊技機に適用することも可能である。
【符号の説明】
【００３２】
１・・パチンコ機（遊技機）、３５・・スライド役物、３６・・昇降役物、４０・・スライド体、４２・・カバー部材、４３・・基板部材、４４・・ラック歯、４７・・モータ、４８ａ、４８ｂ・・ギヤ、４９・・ロッド部材、５１・・固定体、５２・・昇降体、５３・・モータ、５４・・ケーシング部材、５５・・回転体、５６・・アーム、５７・・係合突起、５８・・係合溝。
【図１】
0006045005.tif 000002
【図２】
0006045005.tif 000003
【図３】
0006045005.tif 000004
【図４】
0006045005.tif 000005
【図５】
0006045005.tif 000006
【図６】
0006045005.tif 000007
【図７】
0006045005.tif 000008
【図８】
0006045005.tif 000009
【図９】
0006045005.tif 000010
【図１０】
0006045005.tif 000011
【図１１】
0006045005.tif 000012
【図１２】
0006045005.tif 000013
【図１３】
0006045005.tif 000014